(57)【特許請求の範囲】
【請求項１】
断面がＤ形状の回転軸に与えられる回転に応じた電気信号を出力するように構成され、当該電気信号を出力する端子を備えた被検査電子デバイスの電気的特性を検査する検査治具において、
被検査電子デバイスの本体部分を保持する受け体、駆動モータ、及び、該受け体に保持された被検査電子デバイスの回転軸に前記駆動モータの回転を伝達する連結体が備えられた水平固定部と、
該水平固定部に立設された垂直固定部と、
プローブピンを備え、該垂直固定部に沿って昇降し得る昇降部と、
を備え、
前記連結体には、被検査電子デバイスの回転軸を挿し込むための挿通孔が形成されているとともに、少なくとも３つの球体が前記挿通孔に各球体の一部が突出する状態で配設され、且つ、前記各球体を前記挿通孔の中心方向へ付勢する付勢手段が設けられていて、
上記昇降部を下降させた際、上記プローブピンは、上記被検査電子デバイスの前記端子に当接するように配設されたものであり、
前記被検査電子デバイスを前記受け体に保持させた後、前記昇降部を下降させると、該昇降部の前記プローブピンが前記被検査電子デバイスの前記端子に押し当てられ、前記被検査電子デバイスを押さえつけた状態で安定するように、前記昇降部が構成されていることを特徴とする検査治具。
【発明の詳細な説明】
【０００１】
【発明の属する技術分野】
本発明は、ロータリーエンコーダやボリューム等のようにＤ形状の断面の回転軸を持った電子デバイスを検査するための検査治具に関するものである。
【０００２】
【従来の技術】
従来より、ロータリーエンコーダやボリューム等のような回転軸を持った被検査電子デバイスを検査するためには、被検査電子デバイスを検査治具にセットして、所定の回転量を与えた時の電気的な変化量を計測して基準となる変化量と比較して検査することが行われている。
そのためには、回転軸が確実に検査治具にセットされるように、Ｄ形状の回転軸のＤカット面の向きを検査治具の連結機構の向きと正確に合わせてセットする必要がある。そのようなセットを行うための構造が、例えば実開平１−１３２８１９号公報に開示されている。実開平１−１３２８１９号公報に開示された構造は、被検査電子デバイスの回転軸のＤカット面に係合する帯状ばね片を備えた検査治具の構造である。
【０００３】
【発明が解決しようとする課題】
しかし、前述した実開平１−１３２８１９号公報に開示されている構造では、検査治具にセットする被検査電子デバイスの回転軸のＤカット面の向きを前記帯状ばね片の位置に合わさなければならないという問題があった。
即ち、被検査電子デバイスの回転軸を特定の向き（特定の回転角の状態）で挿入しないと検査治具と連結できない構造になっていたからである。
【０００４】
そこで、本発明は、被検査電子デバイスの電気的特性の検査を効率よく行える検査治具を提供することを目的としてなされたものである。
【０００５】
【課題を解決するための手段】
本発明の請求項１の検査治具は、断面がＤ形状の回転軸に与えられる回転に応じた電気信号を出力するように構成され、当該電気信号を出力する端子を備えた被検査電子デバイスの電気的特性を検査する検査治具において、
被検査電子デバイスの本体部分を保持する受け体、駆動モータ、及び、該受け体に保持された被検査電子デバイスの回転軸に前記駆動モータの回転を伝達する連結体が備えられた水平固定部と、
該水平固定部に立設された垂直固定部と、
プローブピンを備え、該垂直固定部に沿って昇降し得る昇降部と、
を備え、
前記連結体には、被検査電子デバイスの回転軸を挿し込むための挿通孔が形成されているとともに、少なくとも３つの球体が前記挿通孔に各球体の一部が突出する状態で配設され、且つ、前記各球体を前記挿通孔の中心方向へ付勢する付勢手段が設けられていて、
上記昇降部を下降させた際、上記プローブピンは、上記被検査電子デバイスの前記端子に当接するように配設されたものであり、
前記被検査電子デバイスを前記受け体に保持させた後、前記昇降部を下降させると、該昇降部の前記プローブピンが前記被検査電子デバイスの前記端子に押し当てられ、前記被検査電子デバイスを押さえつけた状態で安定するように、前記昇降部が構成されている。
【０００６】
【作用】
本発明にかかる請求項１の検査治具では、
被検査電子デバイスの本体部分を受け体で保持し、保持された被検査電子デバイスの回転軸を、連結体によって駆動モータと連結して、駆動モータの回転を前記連結体を介して被検査電子デバイスに伝達する。
そして、操作レバーを操作することによって昇降部を下降させて、前記被検査電子デバイスを固定して駆動モータによって被検査電子デバイスの回転軸を回転させて電気信号を出力させて検査する。
検査後には、前記操作レバーを操作することによって昇降部を上昇させて、検査済みの被検査電子デバイスの回転軸と、前記連結体との間の連結を解いて前記受け体から取り外す。
このようにして、被検査電子デバイスの電気的特性の検査を行う。
なお、前記連結体には、少なくとも３つの球体が前記挿通孔に各球体の一部が突出する状態で配設され、且つ、前記各球体を前記挿通孔の中心方向へ付勢する付勢手段が設けられているので、被検査電子デバイスの回転軸が挿し込まれると、挿し込まれたＤ形状の回転軸のＤカット面が何れかの球体で確実に保持される。そして、駆動モータの回転は確実に被検査電子デバイスへ伝達される。
【０００７】
【発明の実施の形態】
以下に、本発明にかかる検査治具を、その実施の形態を示した図面に基づいて詳細に説明する。
【０００８】
図１は、前記実施の形態としての検査治具の斜視図である。
図中、１は検査治具全体を示しており、この検査治具１には、水平固定部２と垂直固定部３と昇降部４と操作レバー５とが備えられている。
前記水平固定部２の上面には、被検査電子デバイス９をセットする受け体６と、受け体６にセットされた被検査電子デバイス９の回転軸を回転駆動する駆動機構７とが備えられている。
また、前記操作レバー５を操作することによって前記昇降部４を前記垂直固定部３に沿って昇降駆動する昇降機構が備えられている。
【０００９】
前記受け体６の上面には、被検査電子デバイス９を保持するための凹部６１が形成され、セットされた被検査電子デバイス９の下面及び側面を支えるように形成されている。また、受け体６には被検査電子デバイス９の回転軸が回転自在に遊挿される切り込み６２が形成されている。なお、受け体６は電気絶縁体の樹脂で成形されている。
前記駆動機構７には、外部からの駆動信号によって回転する駆動モータ７1、駆動機構７を支持する支持パネル７２、前記駆動モータ７１の回転軸と連動するように連結固定された駆動ギア７３、および駆動機構７と被検査電子デバイス９の回転軸とを連結する連結体８が備えられている。また、前記駆動ギア７３と連動するギア７４には基準となる回転信号を得るための基準回転信号発信器(図示せず）が取り付けられている。
【００１０】
前記垂直固定部３には４本の垂直シャフト３１、３１、３１（あと１本は図示せず）が設けられており、前記操作レバー５を回動させることによって昇降する昇降部４をガイドするように構成されている。即ち、昇降部４の背面に備えられた２つの摺動ブロック４１、４１にそれぞれ２本ずつ形成された孔（図示せず）に前記垂直シャフトが２本ずつ挿通され、前記摺動ブロック４１が垂直シャフトに沿って垂直に昇降することによって、前記昇降部４が垂直に昇降するように構成されているのである。また、摺動ブロック４１は２本の垂直シャフトに巻回されたバネ３２によって上昇方向へ付勢されている。
前記操作レバー５を操作することによって、リンク機構５１によって前記昇降部４は前記垂直シャフト３１にガイドされ、垂直固定部３に沿って垂直に昇降駆動される。
前記リンク機構５１は図４の（ａ）、（ｂ）に示したように、操作レバー５に固定された第１リンク５１１と、該第１リンクと昇降部４の側面の連結軸４０に回動自在に連結された第２リンク５１２とから構成されている。
図４の（ａ）の状態で被検査電子デバイス９をセットした後に、前記操作レバー５を手前に（図中においては反時計回り方向に）回動させると、操作レバー５と第１リンク５１１とが一体となって回動軸５０を中心に反時計方向に回転しながら、第２リンク５１２を介して昇降部４を下降させる。
そして、図４の（ｂ）に示したように、操作レバー５を押し下げると、第１リンク５１１と第２リンク５１２との連結軸５１３は下方に下がる。そして、連結軸５１３が前記連結軸４０と回動軸５０とを結ぶ直線の延長線上を越えたとき、バネ３２による上昇方向への付勢力によって昇降部４は下降位置で安定状態となる。また、この安定状態において、第２リンク５１２と回動軸５０とが干渉しないように、第２リンク５１２には切欠きが形成されている。
なお、前記リンク機構５１、垂直シャフト３１、及び、摺動ブロック４１によって昇降機構が構成されている。
【００１１】
前記昇降部４には、コ字状の水平フレーム４６と、この水平フレーム４６の下面に設けられた透明アクリル樹脂製の絶縁板４２とが備えられている。
前記絶縁板４２の先端部には２本以上のプローブピン４３が立設されており、これらのプローブピン４３はリード線４４によって外部の測定回路ヘ接続されるように構成されている。
前記各プローブピン４３は、下降したときに、セットされた被検査電子デバイス９の各端子９２にそれぞれ当接しうる位置に配設されている。
また、前記プローブピン４３の周りには複数の保護体４５が立設され、プローブピン４３を保護するように構成されている。
前記絶縁板４２は透明であるため、駆動機構７と被検査電子デバイス９とを上方から透視可能であり、被検査電子デバイス９のセット状態を容易に確認して作業することができる。
【００１２】
次に、本発明の特徴とする連結体８を、図２を参照しながら詳細に説明する。
図２において、連結体８の本体８０の中心部には挿通孔８１が形成されており、この挿通孔８１には３つの球体８２、８２、８２が前記本体８０から中心へ向かって突出するように配設されている。これらの球体は１２０度毎に配設されている。
これらの球体８２は前記本体８０に放射状に設けられた取り付け孔に挿入され、バネ８３によって中心方向へ付勢されている。前記バネ８３の後端は止ネジ８４によって押さえられている。この止ネジ８４を調節することによって前記球体８２への付勢力を調節することができる。
【００１３】
図２の状態の連結体８の挿通孔８１に、被検査電子デバイス９の回転軸９１を押し込むと、各球体８２の付勢力に抗して各球体８２を外側へ押し広げ、図３に示したように回転軸９１は３つの球体で挟まれた状態となる。図３に示したように、３つの球体のうちの何れかひとつの球体が、前記回転軸９１のＤカット面を押圧した状態となり、他のふたつの球体が前記回転軸９１の外周面を押圧した状態となり、３つの球体によって回転軸９１を確実につかんで連結するのである。即ち、回転軸９１を前記挿通孔８１に挿し込むときのＤカット面の向きが何れの向きであっても、何れかの球体がＤカット面を正面から押圧するように回転軸９１の向きの調整がなされるので、挿し込むときにＤカット面の向きを意識する必要がない。回転軸９１の先端で球体８２を押し広げながら挿入されるという点と、前記球体８２がバネによって付勢されているという点とによって、上記効果が得られるのである。なお、回転軸９１と連結体８とが連結された状態では、被検査電子デバイス９の本体９０は前記受け体６の凹部６１に保持される。
図３の状態で、被検査電子デバイス９の回転軸９１は連結体８、即ち駆動機構７と連結されるのである。
このようにして、前記被検査電子デバイス９の回転軸９１は前記駆動モータ７１側と連結されるのである。
【００１４】
以上のようにして被検査電子デバイス９を受け体６に保持させた後、前記操作レバー５を手前に引き倒して回動させることによって、前記昇降部４を下降させ、複数のプローブピン４３を、被検査電子デバイス９の各端子９２に押し当てる。
前記昇降部４は下降して被検査電子デバイス９を押さえつけた状態で安定するように構成されているので、前記駆動モータ７１を回転させることによって前記被検査電子デバイス９の回転軸９１は回転駆動され、その回転に応じた電気信号が前記プローブピンから外部へ取り出されるのである。
このようにして得られる、電気信号を観察することによって前記被検査電子デバイス９を検査することができる。なお、このとき、前記基準回転信号発信器から得られる回転信号を基準として、前記被検査電子デバイス９を検査するとよい。
【００１５】
被検査電子デバイス９の回転軸９１を連結体８に挿し込むとき、被検査電子デバイスの回転軸のＤカット面の向きを全く意識することなく作業できるので、検査作業が能率良く行えるという効果が得られるのである。
【００１６】
以上のようにして、検査を終了した後、前記操作レバー５を引き起こして前記昇降部４を上昇させる。そして、被検査電子デバイス９の回転軸９１を連結体８から引き抜き作業を終え、必要であれば次の被検査電子デバイスの検査を行う。
【００１７】
なお、球体の数は３つに限るものではなく、３つ以上でも本願同様の作用効果が得られる。
【００１８】
【発明の効果】
本発明の検査治具によれば、被検査電子デバイスの本体部分を受け体で保持し、保持された被検査電子デバイスの回転軸を、連結体によって駆動モータと連結して、駆動モータの回転を前記連結体を介して被検査電子デバイスに伝達し、操作レバーを操作することによって昇降部を昇降させて被検査電子デバイス電気的特性の検査を行うので、被検査電子デバイスのセットから検査、取り外しまでの一連の操作が効率よく行えるのという効果が得られる。
さらに、前記連結体には、少なくとも３つの球体が前記挿通孔に各球体の一部が突出する状態で配設され、且つ、前記各球体を前記挿通孔の中心方向へ付勢する付勢手段が設けられていることにより、挿し込まれたＤ形状の回転軸のＤカット面が何れかの球体で確実に保持されるので、被検査電子デバイスの回転軸のＤカット面の向きを意識することなく、被検査電子デバイスをセットする作業を行えるようになり、作業効率がさらに向上するという効果が得られる。
【図面の簡単な説明】
【図１】本発明にかかる検査治具の実施の形態の構成を示した斜視図である。
【図２】前記検査治具の連結体の構成を示した正面図である。
【図３】前記連結体に、Ｄ形状の回転軸を挿し込んだ状態の正面図であるｑ
【図４】前記検査治具のリンク機構の動作を説明する説明図である。
【符号の説明】
１    検査治具
２    水平固定部
３    垂直固定部
３１  垂直シャフト（昇降機構）
４    昇降部
４１  摺動ブロック（昇降機構）
５    操作レバー
５１  リンク機構（昇降機構）
６    受け体
６１  凹部
７    駆動機構
７１  駆動モータ
８    連結体
８１  挿通孔
８２  球体
８３  バネ
８４  止ネジ
９    被検査電子デバイス
９１  回転軸
９１１  Ｄカット面
【図１】
0003953319.tif 000002
【図２】
0003953319.tif 000003
【図３】
0003953319.tif 000004
【図４】
0003953319.tif 000005